(57)【要約】【課題】第１および第２の部材を連結するバヨネット機構における突起部材と挿入孔との位置関係に拘わらず、第１および第２の部材を確実に維持すること。【解決手段】フォーカスリング３０２に設けられた突起部材３０４を折曲用鏡筒２０８に設けられた挿入孔３０７に差し込んだ状態で、フォーカスリング３０２および折曲用鏡筒２０８を相対的に捩ることによってフォーカスリング３０２および折曲用鏡筒２０８を連結するバヨネット機構において、挿入孔３０７へ差し込まれた状態の突起部材３０４に係合する鍵ツメ部材３０８を設けた。【選択図】図４
2007316520.tif 000002
【特許請求の範囲】
【請求項１】
第１の部材に設けられた突起部材を第２の部材に設けられた挿入孔に差し込んだ状態で、前記第１および第２の部材を相対的に捩ることによって前記第１および第２の部材を連結するバヨネット機構において、
前記突起部材が前記挿入孔へ差し込まれた状態で係合する係合部材を備えることを特徴とするバヨネット機構。
【請求項２】
前記係合部材は、前記突起部材を前記挿入孔に差し込む方向において、前記第１および第２の部材が離反する方向への移動を規制するように係合することを特徴とする請求項１に記載のバヨネット機構。
【請求項３】
前記係合部材は、前記突起部材を前記挿入孔へ差し込む際に弾性変形し、前記突起部材が前記挿入孔へ差し込まれた際に元の形状に復帰する弾性材料によって形成されていることを特徴とする請求項１または２に記載のバヨネット機構。
【請求項４】
画像表示素子に表示された画像を投影用レンズによって拡大してスクリーンに投影するプロジェクション型映写装置において、
前記投射用レンズに対して相対的に回転する回転体を備え、当該回転体の回転によって前記画像表示素子から前記スクリーンまでの光軸方向に前記投射用レンズを移動させるネジ機構と、
前記光軸回りにおける前記投射用レンズの回転を規制する規制部材と、
前記回転体と前記投射用レンズを支持する支持部材との間に設けられて、前記回転体と前記支持部材とを連結する請求項１〜３のいずれか一つに記載のバヨネット機構と、
を備えることを特徴とするプロジェクション型映写装置。
【発明の詳細な説明】
【技術分野】
【０００１】
この発明は、バヨネット機構およびプロジェクション型映写装置に関する。
【背景技術】
【０００２】
従来より、対向配置される２つの部材を連結する機構として、バヨネット機構が利用されている。バヨネット機構は、一方の部材に設けられて同一円周上で当該円の径方向へ向けて開口する溝に、他方の部材に設けられたツメなどの突起部材を挿入し、突起部材と溝との係合によって２つの部材を連結する機構である。
【０００３】
バヨネット機構における溝の一部には、溝に対してツメを挿入するための挿入孔が設けられており、突起部材と溝との係合は挿入孔を介しておこなわれる。バヨネット機構における挿入孔は突起部材を溝部に挿入するために不可欠であるが、一方では挿入孔が設けられているために、突起部材が挿入孔に位置づけられた場合には連結が外れてしまう原因となる。
【０００４】
このため、従来、突起部材が挿入された状態の溝にビスを取り付け、ビスによって突起部材の移動を規制し突起部材が挿入孔に位置づけられないようにすることで、連結が外れてしまうことを防止するようにした技術がある（たとえば、下記特許文献１参照。）。また、従来、連結される部品のスラスト方向への移動を規制する押さえ環や押さえ板などを設けることで、突起部材が挿入孔に位置づけられた場合にも連結が外れてしまうことを防止するようにした技術がある。
【０００５】
【特許文献１】特開２００２−６２４６４号公報
【発明の開示】
【発明が解決しようとする課題】
【０００６】
しかしながら、バヨネット機構を用いて二つの部材を連結する場合に上述した従来の技術を適用すると、ビス，押さえ環，あるいは押さえ板などのように、連結が外れてしまうことを防止するための部品が必要になるため、部品点数が増加するという問題がある。また、部品点数が増加したために、当該部品を取り付ける作業負担が生じるという問題がある。
【０００７】
本発明は、上述した従来技術による問題点を解消するため、第１および第２の部材を連結するバヨネット機構における突起部材と挿入孔との位置関係に拘わらず、第１および第２の部材の連結を確実に維持することができるバヨネット機構およびプロジェクション型映写装置を提供することを目的とする。
【課題を解決するための手段】
【０００８】
この発明にかかるバヨネット機構は、第１の部材に設けられた突起部材を第２の部材に設けられた挿入孔に差し込んだ状態で、前記第１および第２の部材を相対的に捩ることによって前記第１および第２の部材を連結するバヨネット機構において、前記突起部材が前記挿入孔へ差し込まれた状態で係合する係合部材を備えることを特徴とする。
【０００９】
この発明によれば、突起部材を挿入孔へ差し込んだ状態で係合部材が係合するため、以降、突起部材が挿入孔に位置づけられている場合にも第１および第２の部材の連結を維持することができ、第１および第２の部材を相対的に捩ることによる突起部材と挿入孔との位置関係に拘わらず第１および第２の部材の連結を確実に維持することができる。
【００１０】
また、この発明にかかるバヨネット機構における前記係合部材は、前記突起部材を前記挿入孔に差し込む方向において、前記第１および第２の部材が離反する方向への移動を規制するように係合することを特徴とする。
【００１１】
この発明によれば、第１および第２の部材を相対的に捩る動作を妨げることなく、第１および第２の部材を相対的に捩ることによる突起部材と挿入孔との位置関係に拘わらず第１および第２の部材の連結を確実に維持することができる。
【００１２】
また、この発明にかかる前記係合部材は、前記突起部材を前記挿入孔へ差し込む際に弾性変形し、前記突起部材が前記挿入孔へ差し込まれた際に元の形状に復帰する弾性材料によって形成されていることを特徴とする。
【００１３】
この発明によれば、従来のバヨネット機構と同様に突起部材を挿入孔へ差し込む作業をおこなうだけで係合部材を係合させることができるので、利用者の負担を増加させることなく、第１および第２の部材を相対的に捩ることによる突起部材と挿入孔との位置関係に拘わらず第１および第２の部材の連結を確実に維持することができる。
【００１４】
また、この発明にかかるプロジェクション型映写装置は、画像表示素子に表示された画像を投影用レンズによって拡大してスクリーンに投影するプロジェクション型映写装置において、前記投射用レンズに対して相対的に回転する回転体を備え、当該回転体の回転によって前記画像表示素子から前記スクリーンまでの光軸方向に前記投射用レンズを移動させるネジ機構と、前記光軸回りにおける前記投射用レンズの回転を規制する規制部材と、前記回転体と前記投射用レンズを支持する支持部材との間に設けられて、前記回転体と前記支持部材とを連結する上述したバヨネット機構と、を備えることを特徴とする。
【００１５】
この発明によれば、光軸回りに投射用レンズを回転させることなく、投射用レンズを光軸方向に移動させることができるので、組み立てに際して、ウエルドラインなどの影がスクリーン上の目立つ位置に投射されない位置に投射用レンズを位置づけることで、投射用レンズに起因する画質低下を抑制することができる。
【発明の効果】
【００１６】
本発明にかかるバヨネット機構およびプロジェクション型映写装置によれば、第１および第２の部材を連結するバヨネット機構における突起部材と挿入孔との位置関係に拘わらず、第１および第２の部材の連結を確実に維持することができる。
【発明を実施するための最良の形態】
【００１７】
以下に添付図面を参照して、この発明にかかるバヨネット機構およびプロジェクション型映写装置の好適な実施の形態を詳細に説明する。この実施の形態は、この発明にかかるバヨネット機構およびプロジェクション型映写装置を実現するリアプロジェクション型テレビ（以下、「リアプロテレビ」という）への適用例を示す。
【００１８】
図１は、実施の形態のリアプロテレビを示す斜視図である。図１に示したように、リアプロテレビ１００は、リアプロテレビ１００の外郭をなすハウジング１０１を備えている。ハウジング１０１は、上側に配置される上部キャビネット１０２と、下側に配置される下部キャビネット１０３とによって構成されている。なお、ハウジング１０１は、上部キャビネット１０２と下部キャビネット１０３とに区分せずに、一体に構成することも可能である。
【００１９】
ハウジング１０１には、スクリーン１０４、高音スピーカ１０５、および低音スピーカ１０６が設けられている。スクリーン１０４、高音スピーカ１０５、および低音スピーカ１０６は、ハウジング１０１において同一方向に配向するように設けられている。以降、ハウジング１０１においてスクリーン１０４、高音スピーカ１０５、および低音スピーカ１０６が設けられている側をリアプロテレビ１００の前面側とし、ハウジング１０１においてリアプロテレビ１００の前面側とは反対側をリアプロテレビ１００の背面側とする。また、図示を省略するが、ハウジング１０１には、テレビ局から送信されたテレビジョン信号を受信するアンテナが設けられている。
【００２０】
図２は、実施の形態のリアプロテレビ１００を示す縦断側面図である。図２に示したように、ハウジング内には、テレビジョン制御部２０１が設けられている。図示を省略するが、上述したアンテナは、テレビジョン制御部２０１に接続されている。テレビジョン制御部２０１は、アンテナによって受信されたテレビジョン信号の中から、画像情報に関する信号および音声情報に関する信号を検出し、検出された信号に基づいてリアプロテレビ１００が備える各部の動作を制御する。
【００２１】
また、テレビジョン制御部２０１は、利用者によって図示を省略するリモートコントローラが操作された場合に、操作内容に応じてリアプロテレビ１００が備える各部の動作を制御してもよい。リモートコントローラは、たとえば、利用者の操作を受け付ける操作キーや、操作内容などを表示する表示部、および操作内容をテレビジョン制御部２０１に伝達するための通信手段などを備えている。操作キーや表示部は、ハウジング１０１と別体に設けられたものに限らず、ハウジング１０１に設けられていてもよい。
【００２２】
ハウジング１０１内において、テレビジョン制御部２０１の前面側には、画像表示素子２０２が設けられている。画像表示素子２０２は、テレビジョン制御部２０１が出力する画像信号を受け入れて、テレビジョン信号の中から検出された画像情報に関する信号に基づく画像を表示する。画像表示素子２０２は、たとえば、液晶パネルを用いて構成することが可能である。
【００２３】
ハウジング１０１内において、画像表示素子２０２の前面側には、投射レンズシステム２０３が設けられている。投射レンズシステム２０３は、画像表示素子２０２が表示する画像を拡大する。投射レンズシステム２０３は、後群レンズ２０４と、中間ミラー２０５と、前群レンズ２０６と、を含んでいる。
【００２４】
投射レンズシステム２０３における後群レンズ２０４は、画像表示素子２０２によって表示された画像の光線を集束させ、中間ミラー２０５側へ通過させる。後群レンズ２０４は、たとえば、１枚の凸レンズによって構成することが可能である。また、後群レンズ２０４は、たとえば、１枚または複数の凸レンズと、１枚または複数の凹レンズと、を組み合わせて構成することも可能である。後群レンズ２０４は、ハウジング１０１内において、画像表示素子２０２の前面側に配置されており、後群レンズ用鏡筒２０７によって支持されている。
【００２５】
後群レンズ用鏡筒２０７は、たとえば、アルミダイキャストや、エンジニアリングプラスチックなどを用いて形成することができる。エンジニアリングプラスチックとして、具体的には、たとえば、ポリカーボネート、ＰＰＳなどが挙げられる。後群レンズ用鏡筒２０７は、下部キャビネット１０３に対して、ねじ固定などの固定方法によって固定されている。
【００２６】
投射レンズシステム２０３における中間ミラー２０５は、ハウジング１０１内において、後群レンズ２０４の前面側に配置され、後群レンズ２０４を通過した光線を前群レンズ２０６側へ反射させる。中間ミラー２０５は、折曲用鏡筒２０８によって保持されている。折曲用鏡筒２０８は、後群レンズ用鏡筒２０７に対して、ネジを用いて固定されている（図３を参照）。
【００２７】
投射レンズシステム２０３における前群レンズ２０６は、中間ミラー２０５によって反射された光線を拡散させ、スクリーン１０４側へ通過させる。この実施の形態では、前群レンズ２０６によって投影用レンズが実現されている。前群レンズ２０６は、たとえば、１枚の凹レンズによって構成することが可能である。
【００２８】
また、前群レンズ２０６は、たとえば、１枚または複数の凹レンズと、１枚または複数の凸レンズと、を組み合わせて構成することも可能である。さらに、前群レンズ２０６は、たとえば、複数種類の凸レンズを組み合わせて構成することも可能である。
【００２９】
前群レンズ２０６は、ハウジング１０１内において、中間ミラー２０５によって反射された光線の光軸上に配置される。より具体的には、前群レンズ２０６は、中間ミラー２０５によって反射された光線の光軸と前群レンズ２０６における光軸とが一致する位置に配置される。前群レンズ２０６は、前群レンズ用鏡筒２０９によって支持されている。
【００３０】
前群レンズ用鏡筒２０９は、アルミダイキャストや、上述したエンジニアリングプラスチックなどを用いて形成することができる。前群レンズ用鏡筒２０９は、上述した折曲用鏡筒２０８に対して接離可能な状態で、折曲用鏡筒２０８に連結されている。
【００３１】
投射レンズシステム２０３においては、上述した構成に代えて、中間ミラー２０５を設けずに、前群レンズ２０６の光軸と後群レンズ２０４の光軸とが同一の光軸となるように構成することも可能である。この場合、たとえば、後群レンズ２０４や前群レンズ２０６のピントを合わせるために、光軸方向に移動可能な１個または複数のレンズを含むように構成してもよい。
【００３２】
ハウジング１０１内において、投射レンズシステム２０３からスクリーン１０４までの光路上には、画像投射用ミラー２１０が設けられている。画像投射用ミラー２１０は、前群レンズ２０６を通過した光線をスクリーン１０４へ向けて反射する。画像投射用ミラー２１０は、単数であってもよいし、複数であってもよい。
【００３３】
なお、画像投射用ミラーを設けずに、前群レンズ２０６を通過した光線をスクリーン１０４の背面側からスクリーン１０４に対して直接投射するように構成してもよい。具体的には、たとえば、上述した投射レンズシステム２０３において中間ミラー２０５を設けずに前群レンズ２０６の光軸と後群レンズ２０４の光軸とが同一の光軸となるように構成した場合には、前群レンズ２０６を通過した光線をスクリーン１０４へ直接照射する構成を容易に実現できる。
【００３４】
図３は投射レンズシステム２０３を示す分解斜視図であり、図４は投射レンズシステム２０３の一部を示す分解斜視図である。図３および図４は、それぞれ異なる方向から見た状態をあらわしている。上述したように、中間ミラー２０５を支持する折曲用鏡筒２０８は、後群レンズ用鏡筒２０７に対してネジ３０１を用いて固定されている。折曲用鏡筒２０８には、第１の部材および回転体としてのフォーカスリング３０２を介して、上述した前群レンズ用鏡筒２０９が連結される。
【００３５】
フォーカスリング３０２は、中間ミラー２０５から画像投射用ミラー２１０までの光路における光軸を軸心方向とする円筒形状を有している。フォーカスリング３０２の内周面には、前群レンズ用鏡筒２０９の外周面に設けられたネジ山３０３に螺合するネジ山が設けられている（図１１を参照）。フォーカスリング３０２および前群レンズ用鏡筒２０９は、互いのネジ山を螺合させることによって連結される。また、フォーカスリング３０２の内周面であって折曲用鏡筒２０８側の端部には、フォーカスリング３０２の内周側に向かって突出する突起部材３０４が設けられている。
【００３６】
折曲用鏡筒２０８において、フォーカスリング３０２に対向する位置には、第２の部材としてのバヨネット環３０５が設けられている。バヨネット環３０５は、中間ミラー２０５から画像投射用ミラー２１０までの光路における光軸を軸心方向とする環状部材である。バヨネット環３０５は、たとえば、プラスチックなどの樹脂材料を用いて形成されている。これにより、バヨネット環３０５は、外力が加えられることによって成型時の形状から変形した場合にも、自身の弾性力によって成型時の形状に復帰可能とされている。
【００３７】
バヨネット環３０５には、同一円周上においてバヨネット環３０５の径が拡開する方向に向かって開口する溝部３０６が設けられている。上述したフォーカスリング３０２は、突起部材３０４を溝部３０６に係合させることによって、折曲用鏡筒２０８に連結される。また、フォーカスリング３０２が折曲用鏡筒２０８に連結されることによって、フォーカスリング３０２に連結された前群レンズ用鏡筒２０９が、フォーカスリング３０２を介して折曲用鏡筒２０８に連結される。
【００３８】
バヨネット環３０５には、突起部材３０４と溝部３０６との係合を可能とするための挿入孔３０７が設けられている。挿入孔３０７は、溝部３０６と同一円周上となる位置に設けられており、その大きさは突起部材３０４と同等あるいは突起部材３０４より若干大きくなるように設計されている。
【００３９】
フォーカスリング３０２と折曲用鏡筒２０８とを連結する際には、まず、挿入孔３０７と突起部材３０４とを正対させた状態でフォーカスリング３０２と折曲用鏡筒２０８とを相対的に近づけることで、挿入孔３０７の中に突起部材３０４を挿入する。これにより、突起部材３０４が溝部３０６と同心円上に位置づけられる。
【００４０】
つづいて、光軸周りに、フォーカスリング３０２と折曲用鏡筒２０８とを相対的に回転させる。これにより、突起部材３０４と溝部３０６とが係合し、フォーカスリング３０２と折曲用鏡筒２０８とが連結される。この実施の形態では、バヨネット環３０５およびフォーカスリング３０２によってバヨネット機構が実現されている。
【００４１】
また、バヨネット環３０５には、挿入孔３０７において、前群レンズ用鏡筒２０９側に突出する鍵ツメ部材３０８が設けられている。溝部３０６と鍵ツメ部材３０８とは、同一円周上において互い違いに配列されている。鍵ツメ部材３０８は、前群レンズ用鏡筒２０９側に突出する突出部と、突出部における前群レンズ用鏡筒２０９側の端部からバヨネット環３０５の径が拡開する方向に向かって屈曲する屈曲部と、を備えている（詳細は図６を参照）。
【００４２】
図５はフォーカスリング３０２と折曲用鏡筒２０８との連結構造を示す平面図、図６は図５におけるＫ−Ｋ断面図である。つぎに、図５および図６を用いて、フォーカスリング３０２と折曲用鏡筒２０８とが連結された状態で、フォーカスリング３０２における突起部材３０４と折曲用鏡筒２０８におけるバヨネット環３０５との関係について説明する。
【００４３】
フォーカスリング３０２および折曲用鏡筒２０８が、連結に際して相対的に近づけられる方向は、図５中紙面表裏方向であり、図６中紙面上下方向である。なお、上述した突出部は図６中符号６０１であらわし、屈曲部は図６中符号６０２であらわされている。
【００４４】
図５および図６に示したように、鍵ツメ部材３０８における突出部６０１は、挿入孔３０７の中に突起部材３０４を挿入する際の、突起部材３０４の移動軌跡に干渉しない位置に設けられている。鍵ツメ部材３０８における屈曲部６０２は、上述した突起部材３０４の移動軌跡に干渉する位置に設けられている。図６に示したように、屈曲部６０２の先端部分であって、前群レンズ用鏡筒２０９側となる位置は、光軸の軸心方向に傾斜するテーパー面となっている。
【００４５】
なお、図５中符号５０１は、バヨネット環３０５の内周面であって、前群レンズ用鏡筒２０９側となる端部に設けられた凹部をあらわしている。また、図５中符号５０２は、前群レンズ用鏡筒２０９の外周面に設けられた凸部である。凹部５０１および凸部５０２は、凹部５０１内への凸部５０２の挿入および凹部５０１内における凸部５０２のスライドが可能な大きさとなるように設計されている。
【００４６】
図７〜１０は、挿入孔３０７の中に突起部材３０４を挿入する際の、突起部材３０４と鍵ツメ部材３０８との関係を示す説明図（その１）〜（その４）である。挿入孔３０７の中に突起部材３０４を挿入する際には、図７に示したように、挿入孔３０７と突起部材３０４とを正対させた状態とする。図７に示した状態から、フォーカスリング３０２と折曲用鏡筒２０８とを相対的に近づけると、図８に示したように、屈曲部６０２におけるテーパー面と突起部材３０４とが当接する。
【００４７】
図８に示した状態からさらに、フォーカスリング３０２と折曲用鏡筒２０８とを相対的に近づけると、テーパー面が突起部材３０４に押されて、図９に示したように、屈曲部６０２がバヨネット環３０５の内周側に変位するように、突出部６０１が弾性変形する。突起部材３０４によって突出部６０１を弾性変形させて、上述した突起部材３０４の移動軌跡から屈曲部６０２を退避させることで、突起部材３０４を挿入孔３０７の中に挿入することができる。
【００４８】
上述したように、バヨネット環３０５は樹脂材料などによって形成されているため、溝部３０６と同心円上に位置づけられる位置まで突起部材３０４が挿入孔３０７の中に挿入されると、図１０に示したように、突出部６０１は自身の弾性力によって成型時の形状に復帰する。これによって、突起部材３０４と鍵ツメ部材３０８とが係合し、挿入孔３０７と突起部材３０４とが正対する位置においても、フォーカスリング３０２と折曲用鏡筒２０８とが連結された状態となる。この実施の形態では、突起部材３０４と鍵ツメ部材３０８とによって係合部材が実現されている。
【００４９】
リアプロテレビ１００においては、スクリーン１０４に投影する画像の焦点位置を合わせるために、中間ミラー２０５から画像投射用ミラー２１０までの光路上における前群レンズ２０６の位置を調整する必要がある。前群レンズ２０６の位置は、光軸に沿って前群レンズ２０６を中間ミラー２０５側あるいは画像投射用ミラー２１０側に変位させることによって調整することができる。
【００５０】
前群レンズ用鏡筒２０９によって支持される前群レンズ２０６を、金型への溶融樹脂の射出成形によって成型する場合、金型内で溶融樹脂の流れが合流して融着した部分に細い線（以下、「ウエルドライン」という）が発生する場合がある。ウエルドラインが発生している前群レンズ２０６を用いた場合、前群レンズ２０６を通過する際に画像光にウエルドラインの影が入り、スクリーン１０４に投射される画像にウエルドラインの影が重ねて投射され、スクリーンに投射される画像の品質を低下させることが懸念される。
【００５１】
ウエルドラインの発生に起因する画像の品質低下については、近年の高画質化の要望にともなって、今後重要視されることが想定される。しかしながら、一般的に、前群レンズ２０６を射出成形によって成型する場合、ウエルドラインの発生を完全に排除するためには、前群レンズ２０６の製造における歩留まりを低下させ、前群レンズ２０６のコスト増加が懸念される。なお、ウエルドラインが発生している前群レンズ２０６であっても、光路上におけるウエルドラインの位置によってはスクリーン１０４に投射される画像の品質に大きな影響を及ぼすことはないことが分かっている。
【００５２】
このようなことから、実施の形態のリアプロテレビ１００においては、以下に示す構成によって、ウエルドラインが発生している前群レンズ２０６を使用した場合にも、スクリーン１０４に投射される画像の品質低下を防止できるようにした。
【００５３】
図１１は、バヨネット環３０５と前群レンズ用鏡筒２０９との関係を示す説明図である。上述した図５および図６で説明したように、バヨネット環３０５の内周面には、凹部５０１が設けられている。この凹部５０１には、折曲用鏡筒２０８に対して連結された状態にあるフォーカスリング３０２に、前群レンズ用鏡筒２０９が挿入された場合に、前群レンズ用鏡筒２０９の外周面に設けられた凸部５０２が挿入される。これにより、前群レンズ用鏡筒２０９の折曲用鏡筒２０８に対する回転が規制される。この実施の形態では、凹部５０１および凸部５０２によって規制部材が実現されている。
【００５４】
図１１中符号１１０１は、フォーカスリング３０２の内周面に設けられたネジ山である。上述したように、フォーカスリング３０２および前群レンズ用鏡筒２０９は、互いのネジ山３０３，１１０１を螺合させることによって連結されている。この実施の形態では、ネジ山３０３，１１０１によってネジ機構が実現されている。このネジ機構によって、フォーカスリング３０２と前群レンズ用鏡筒２０９とが光軸回りに相対的に回転することによって、光軸方向におけるフォーカスリング３０２と前群レンズ用鏡筒２０９との位置関係が変化する。
【００５５】
図１２は、投射レンズシステム２０３を示す斜視図である。実施の形態のリアプロテレビ１００における投射レンズシステム２０３によれば、上述した図１１に示したような構成によって、前群レンズ用鏡筒２０９が連結されたフォーカスリング３０２を折曲用鏡筒２０８に連結した状態で、図１２中矢印１２０１に示したように、フォーカスリング３０２を折曲用鏡筒２０８に対して相対的に回転させると、図１２中矢印１２０２に示したように、折曲用鏡筒２０８に対して前群レンズ用鏡筒２０９が接離する方向にのみ変位させることができる。
【００５６】
なお、実施の形態においては、スクリーン１０４に投射される画像の品質に大きな影響を及ぼさない位置にウエルドラインが位置づけられるように前群レンズ２０６の位置を調整した状態で、前群レンズ用鏡筒２０９の外周面に設けられた凸部５０２が、バヨネット環３０５の内周面に設けられた凹部５０１に挿入されている。
【００５７】
これによって、実施の形態のリアプロテレビ１００によれば、ウエルドラインが発生している前群レンズ２０６を使用した場合にも光路上におけるウエルドラインの位置を変えることなく、前群レンズ２０６の位置を光軸に沿って変位させることができ、スクリーン１０４に投射される画像の品質低下を防止することができる。
【００５８】
上述したように、実施の形態のリアプロテレビ１００によれば、突起部材３０４を挿入孔３０７へ差し込んだ状態で突起部材３０４と鍵ツメ部材３０８とが係合するため、以降、突起部材３０４が挿入孔３０７に位置づけられている場合にもフォーカスリング３０２および折曲用鏡筒２０８の連結を維持することができ、フォーカスリング３０２および折曲用鏡筒２０８を相対的に捩ることによる双方の位置関係に拘わらずフォーカスリング３０２および折曲用鏡筒２０８の連結を確実に維持することができる。
【００５９】
また、実施の形態のリアプロテレビ１００によれば、突起部材３０４と鍵ツメ部材３０８とが、フォーカスリング３０２と折曲用鏡筒２０８とが離反する方向への移動を規制するように係合するので、フォーカスリング３０２の回転に支障をきたすことなく、また、バヨネット環３０５に対する突起部材３０４の位置関係に拘わらずフォーカスリング３０２と折曲用鏡筒２０８との連結を確実に維持することができる。
【００６０】
また、実施の形態のリアプロテレビ１００によれば、従来のバヨネット機構と同様に突起部材３０４を挿入孔３０７へ差し込む作業をおこなうだけで突起部材３０４と鍵ツメ部材３０８とを係合させることができるので、利用者の負担を増加させることなく、バヨネット環３０５に対する突起部材３０４の位置関係に拘わらずフォーカスリング３０２と折曲用鏡筒２０８との連結を確実に維持することができる。
【００６１】
また、実施の形態のリアプロテレビ１００によれば、前群レンズ２０６を光軸回りに回転させることなく、前群レンズ２０６を光軸方向に移動させることができるので、組み立てに際して、ウエルドラインなどの影がスクリーン上の目立つ位置に投射されない位置に前群レンズ２０６を位置づけることで、前群レンズ２０６に起因する画質低下を抑制することができる。
【産業上の利用可能性】
【００６２】
以上のように、この発明にかかるバヨネット機構によれば、連結した後に突起部材と挿入孔との位置関係に変化が生じるような２つの部材の連結に適しており、特に、組み立て後にズーム調整を要するリアプロジェクション型映写装置などに適している。
【図面の簡単な説明】
【００６３】
【図１】実施の形態のリアプロテレビを示す斜視図である。
【図２】実施の形態のリアプロテレビを示す縦断側面図である。
【図３】投射レンズシステムを示す分解斜視図である。
【図４】投射レンズシステムの一部を示す分解斜視図である。
【図５】フォーカスリングと折曲用鏡筒との連結構造を示す平面図である。
【図６】図５におけるＫ−Ｋ断面図である。
【図７】挿入孔の中に突起部材を挿入する際の、突起部材と鍵ツメ部材との関係を示す説明図（その１）である。
【図８】挿入孔の中に突起部材を挿入する際の、突起部材と鍵ツメ部材との関係を示す説明図（その２）である。
【図９】挿入孔の中に突起部材を挿入する際の、突起部材と鍵ツメ部材との関係を示す説明図（その３）である。
【図１０】挿入孔の中に突起部材を挿入する際の、突起部材と鍵ツメ部材との関係を示す説明図（その４）である。
【図１１】バヨネット環と前群レンズ用鏡筒との関係を示す説明図である。
【図１２】投射レンズシステムを示す斜視図である。
【符号の説明】
【００６４】
１００  リアプロジェクション型テレビ
２０２  画像表示素子
２０６  前群レンズ
３０２  フォーカスリング
３０４  突起部材
３０５  バヨネット環
３０７  挿入孔
３０８  鍵ツメ部材
【図１】
2007316520.tif 000003
【図２】
2007316520.tif 000004
【図３】
2007316520.tif 000005
【図４】
2007316520.tif 000006
【図５】
2007316520.tif 000007
【図６】
2007316520.tif 000008
【図７】
2007316520.tif 000009
【図８】
2007316520.tif 000010
【図９】
2007316520.tif 000011
【図１０】
2007316520.tif 000012
【図１１】
2007316520.tif 000013
【図１２】
2007316520.tif 000014